(57)【要約】 【課題】色温度変化を抑えて光量調整を無段階的に調整でき、且つ安価に製造できる外部ストロボ装置を提供する。【解決手段】  ＤＣ出力電圧値を調整可能とした充電部２と、容量の異なる複数の発光用コンデンサ部Ｃ１，Ｃ２，Ｃ３を備えたメインコンデンサ部３と、各発光用コンデンサ部に対して充電並びに充電遮断をなすスイッチング回路Ｓ１，Ｓ２を備えた充電スイッチ部４と、トリガ回路を備えたストロボ放電部５１と、ＤＣ出力電圧値の調整信号、及びスイッチング回路Ｓ１，Ｓ２のオンオフ制御を行う充電選択信号、及びトリガ駆動信号等を出力する制御指示部６とで構成する。【選択図】図１
0003132091.tif 000002
【実用新案登録請求の範囲】
【請求項１】
所定のＤＣ電圧を出力すると共に、出力電圧値の調整を可能とした充電部と、容量の異なる複数の発光用コンデンサ部を備えたメインコンデンサ部と、メインコンデンサ部の各発光用コンデンサ部に対して充電並びに充電遮断をなすスイッチ回路を備えた充電スイッチ部と、トリガ回路を備え、トリガ電圧が印加されるとメインコンデンサ部の各発光用コンデンサ部に充電された電荷を放電して発光するストロボ放電部と、充電部のＤＣ出力電圧値を調整する信号、及び充電スイッチ部の各スイッチング手段のオンオフ制御を行う充電選択信号、及びトリガ駆動信号等を出力する制御指示部とで構成してなることを特徴とする外部ストロボ装置。
【請求項２】
メインコンデンサ部の各発光用コンデンサ部を、単位コンデンサ部品の組み合わせとし、充電スイッチ部が、最小容量の発光用コンデンサ部を除いた他の発光用コンデンサ部に対して充電並びに充電遮断をなすスイッチ回路を備えてなる請求項１記載の外部ストロボ装置。
【請求項３】
放電管を前面に配置し、内部に各構成部品を収納してなる装置のボディ部をアルミ若しくはアルミ合金で形成すると共に、発光用コンデンサ部の構成部品の各外被を、熱伝導性接着剤でボディ部内周面に接着固定してなる請求項１又は２記載の外部ストロボ装置。
【請求項４】
充電部が、外部ＡＣ電源を採用して整流回路を備えると共に、前記充電部の整流用コンデンサ部品の各外被も、熱伝導性接着剤でボディ部内周面に接着固定してなる請求項３記載の外部ストロボ装置。
【考案の詳細な説明】
【技術分野】
【０００１】
本考案は、カメラと別体である外部ストロボ装置に関するものである。
【背景技術】
【０００２】
外部ストロボ装置は、周囲の明るさ、カメラの絞り、シャッタースピードに対応してその光量を調整する必要がある。この光量調整の基本的な手法は、単純に補助コンデンサを備え光量の増加を図る手段（特許文献１）、複数のコンデンサを備え、各コンデンサに充電制御回路と放電制御回路を設け、所定の閾値電圧で充電し、選択的に放電する手段（特許文献２：電圧制御）、発光開始から被写体からの反射光を積分し、積分値が所定値に達すると、放電管回路を遮断する手段（特許文献３）、ロムに充電データ、閃光時間データを記録させ、光量と色温度の設定に対応して充電データ及び閃光時間データを読み取り、メインコンデンサに所定の充電を行ない、当該閃光時間データに応じてスイッチング素子をオンにして発光量を定める手段（特許文献４）等が知られている。
【０００３】
【特許文献１】実開昭５４−１４２９号公報。
【特許文献２】特公平５−２８３６５号公報。
【特許文献３】特開２００２−１６９２０１号公報。
【特許文献４】特開２００５−３１０６２４号公報。
【考案の開示】
【考案が解決しようとする課題】
【０００４】
ところで、前記の光量調整手段は、基本的にカメラ搭載型のストロボ装置であり、外部ストロボの場合には、カメラ搭載のストロボで不十分な場合に使用することが多く、充分な光量が必要となり、且つその光量の微調整にも充分に対応できることが求められる。
【０００５】
そして前記の基本的な光量調整手段を採用したとしても、例えば特許文献１記載の調整手段は、二段階調整に過ぎなく、調整範囲が狭いという問題があり、特許文献２記載の電圧調整による場合には、放電時の電圧の差異が大きくなり、これに伴なって色温度の変化も大きくなるという課題がある。
【０００６】
また特許文献３、４は基本的には閃光時間の調整によるものであるために、メインコンデンサが必要光量以上の余裕ある容量が必要となってくるもので、カメラ搭載型では、充分なメインコンデンサ容量であったとしても、光量を多くしたい外部ストロボ装置では、メインコンデンサの容量を更に大きくする必要があり、ストロボ装置のコストアップの要因となる。また特許文献３の方式では反射光積分による遮断回路が必要であり、特許文献４の方式ではロムデータの準備とロムデータの読み取り演算処理及びスイッチング素子の駆動演算処理が必要となり全体的にコスト高に繋がってしまう。
【０００７】
また光量調整の幅を大きくするために、メインコンデンサの容量を大きくすると、コンデンサの過熱問題も生じてしまい、コンデンサの過熱対策も必要となってくる。
【０００８】
そこで本考案は、光量調整を無段階的に調整でき、且つ安価に提供できる新規な外部ストロボ装置を提案したものである。
【課題を解決するための手段】
【０００９】
本考案に係る外部ストロボ装置は、所定のＤＣ電圧を出力すると共に、出力電圧値の調整を可能とした充電部と、容量の異なる複数の発光用コンデンサ部を備えたメインコンデンサ部と、メインコンデンサ部の各発光用コンデンサ部に対して充電並びに充電遮断をなすスイッチ回路を備えた充電スイッチ部と、トリガ回路を備えトリガ電圧が印加されるとメインコンデンサ部の各発光用コンデンサ部に充電された電荷を放電して発光するストロボ放電部と、充電部のＤＣ出力電圧値を調整する信号、及び充電スイッチ部の各スイッチ回路のオンオフ制御を行う充電選択信号、及びトリガ駆動信号等を出力する制御指示部とで構成してなることを特徴とするものである。
【００１０】
而して放電発光に充分なＤＣ電圧をメインコンデンサ部の発光用コンデンサ部に印加して充電し、放電管へのトリガ電圧の印加によって放電管の電極間の絶縁が破壊され、発光用コンデンサ部に充電された電荷が放電されストロボ発光を実現するもので、前記のストロボ発光の光量は、メインコンデンサ部の充電電荷量と当該時の電圧（光量＝ＱＶ／２）で定まることになる。そこで充電スイッチ部のスイッチ回路のオンオフ制御で、メインコンデンサ部の複数の発光用コンデンサ部から必要容量に対応するように充電すべき発光用コンデンサ部を選択することで、段階的な光量制御がなされる。更に電圧調整で微調整が可能となるものである。
【００１１】
また本考案（請求項２）に係る外部ストロボ装置は、前記のメインコンデンサ部の各発光用コンデンサ部を、単位コンデンサ部品の組み合わせとし、充電スイッチ部が、最小容量の発光用コンデンサ部を除いた他の発光用コンデンサ部に対して充電並びに充電遮断をなすスイッチ回路を備えてなるものである。
【００１２】
従って単位コンデンサ部品の並列接続数の異なるコンデンサ群で発光用コンデンサ部を構成するので、部品の種類が少なくてすみ、最小容量の発光用コンデンサ部について、充電制御する必要が無く、回路を単純にできる。
【００１３】
また本考案（請求項３，４）は、前記の複数の発光用コンデンサ部を備えた外部ストロボ装置において、特に放電管を前面に配置し、内部に各構成部を収納してなる装置のボディ部をアルミ若しくはアルミ合金で形成すると共に、発光用コンデンサ部の構成部品及び充電部に外部ＡＣ電源を採用した場合の整流用コンデンサ部品の各外被を、熱伝導性接着剤でボディ部内周面に接着固定してなるものである。
【００１４】
而して発光用コンデンサ部品及び整流用コンデンサ部品は、アルミのボディ部に直付けされているもので、コンデンサ部品に生じた熱は、ボディ部表面から放熱されることになり、コンデンサ部品の劣化が防止される。
【考案の効果】
【００１５】
本考案の構成は上記の通り、複数の発光用コンデンサ部を備え、選択的に且つ適宜な電圧調整を行って充電し、充電したコンデンサの電荷で放電発光するようにしたもので、充電すべき発光用コンデンサ部の組み合わせで充電されるコンデンサ容量が定まり、更に電圧調整で発光量の微調整がなされるものである。従って電圧調整のみで光量調整するものに比較して、同一の光量調整範囲においては、電圧調整幅を小さくでき、低電圧による色温度変化を抑えての調光機能を備えた外部ストロボ装置を安価に提供できたものである。
【００１６】
またアルミボディに直接接着して内装するものであるから、コンデンサの放熱が効率的に行なわれ、コンデンサの劣化が防止されるので、特に多数の発光用コンデンサ部品を採用したとしても、何らの支障も生じなく、装置の耐久性を高めたものである。
【考案を実施するための最良の形態】
【００１７】
次に本考案の実施の形態について説明する。実施形態に示した外部ストロボ装置は、所定のボディ部１に組み込まれるもので、その基本的回路構成は、充電部２と、メインコンデンサ部３と、充電スイッチ部４と、放電部５と、各部の動作制御を行う制御指示部６で構成される。
【００１８】
充電部２は、外部電源（ＡＣ１００Ｖ）を採用し、所定の整流と電圧調整を行い、放電可能な電圧及び電荷を確保できるＤＣ電圧を出力するもので、周知の一般的な整流回路が採用される。また外部電源を採用せずに電池を採用してＤＣ／ＤＣコンバータによって昇圧させて所定のＤＣ出力電圧を確保するようにしても良い。
【００１９】
メインコンデンサ部３は、並列接続され、且つ逆流防止回路とした複数の発光用コンデンサ部Ｃ１，Ｃ２，Ｃ３を備え、放電部５に接続したものである。また各発光用コンデンサ部は、単位コンデンサ部品（例えば１０００μＦ）の組み合わせとして、Ｃ１＝２０００μＦ、Ｃ２＝Ｃ３＝１０００μＦのようにする。勿論単位コンデンサ部品を採用せずに例えばＣ３＝７００μＦとするなど任意の容量のコンデンサ部品を採用しても良い。勿論発光用コンデンサ部を３個に限定することなく、更に多くの発光用コンデンサ部（充電単位）を備えても良い。
【００２０】
特に前記の例示したように、同一容量の部品を並列群として、並列群を構成するコンデンサの数によって容量を異ならせると、発光用コンデンサ部の構成が安価にでき、また後述するように最小容量の発光用コンデンサ部Ｃ３を充電遮断制御の対象から外すことができる。
【００２１】
充電スイッチ部４は、前記メインコンデンサ部３の最小容量の発光用コンデンサＣ３を除いた他の発光用コンデンサＣ１，Ｃ２に対して充電並びに充電遮断をなすスイッチ回路Ｓ１，Ｓ２を備えたもので、スイッチ回路Ｓ１，Ｓ２としては、トランジスタ等の半導体スイッチが採用され、所定の信号を受けてＯＮーＯＦＦ制御されるものである。
【００２２】
放電部５は、通常のストロボ発光機構と同様で、ストロボ放電部（放電管）５１と、放電起動するトリガ回路５２を備えてなるものである。
【００２３】
制御指示部６は、電圧調整信号出力部６１と、充電スイッチ部４の各スイッチ回路Ｓ１，Ｓ２のＯＮーＯＦＦ制御をなすスイッチ信号出力部６２と、トリガ回路５２のトリガ駆動信号出力部６３を備えているものである。
【００２４】
具体的には電圧調整信号出力部６１は、ＯＰアンプによる出力電圧値による制御という周知手段を採用し、スイッチ信号出力部６２は、スイッチ回路Ｓ１，Ｓ２を同時にオン状態とする端子ａ、スイッチ回路Ｓ１をオン状態としてスイッチ回路Ｓ２をオフ状態とする端子ｂ、スイッチ回路Ｓ１をオフ状態としてスイッチ回路Ｓ２をオン状態とする端子ｃ、スイッチ回路Ｓ１，Ｓ２をオフ状態とする端子ｄを備えたロータリタイプの選択スイッチを採用する。
【００２５】
またトリガ駆動信号出力部６３は、カメラのシャッターと同期するためのケーブル接続か、或いは図示したようにカメラ内蔵フラッシュと同期するために受光センサ（但しカメラのプレ発光と同期しないように、カウンタ回路のような判別回路を設けておく必要がある）を備えた受光トリガ部としても良い。
【００２６】
更に装置全体が組み込まれるボディ部１は、アルミ若しくはアルミ合金で形成したもので、前記発光用コンデンサ部品（Ｃ１：２個，Ｃ２，Ｃ３）及び充電部２の整流用コンデンサ部品Ｃ５，Ｃ６の各外被を、熱伝導性接着剤（シリコンボンド）１１でボディ部１の内周面に接着固定してなるものである。
【００２７】
次に前記装置の動作について説明する。充電部２から放電発光に充分なＤＣ電圧が出力されているので、スイッチ信号出力部６２の選択スイッチを所定の端子に設定し、電圧調整信号出力部６１のＶＲで電圧調整信号の出力電圧値を調整し、一旦従前状態をリセット（空フラッシュによって発光用コンデンサ部の電荷を一旦放電する）すると、前記設定によって発光用コンデンサ部が所定の電位で充電される。
【００２８】
即ち端子ａの設定では発光用コンデンサ部Ｃ１、Ｃ２、Ｃ３（合計容量４０００μＦ）の全てが充電され、端子ｂの設定では発光用コンデンサ部Ｃ１，Ｃ３（合計容量３０００μＦ）が充電され、端子ｃの設定では発光用コンデンサ部Ｃ２，Ｃ３（合計容量２０００μＦ）が充電され、端子ｄの設定で発光用コンデンサ部Ｃ３（合計容量１０００μＦ）のみが充電されることになる。
【００２９】
そしてカメラの内蔵フラッシュの発光（プレ発光はパスする）を受光すると、トリガ駆動信号が出力され、トリガ回路５２によって放電管５１へトリガ電圧が印加され、放電管５１の電極間の絶縁が破壊され、前記の選択的に充電された発光用コンデンサ部の電荷が放電されストロボ発光がなされる。
【００３０】
従って発光用コンデンサ部の容量による段階的調整と、充電電圧調整による無段階調整の組み合わせによって、放電管の色温度に差異がでる低電圧による放電を極力抑えることが出来たものである。
【００３１】
また本考案は、ボディ部１をアルミ製とし、発光用コンデンサ部品をボディ部への直付けするもので、特にコンデンサ容量の切り替え（充電容量の選択）のために、多数のコンデンサ部品を、ボディ部内に本考案の組み込む光量調整手段を採用したとしても、ボディ部１を通してコンデンサ部品の熱を放熱するので、コンデンサ部品の過熱を抑えることができたものである。
【図面の簡単な説明】
【００３２】
【図１】本考案の実施形態の回路構成ブロック図。
【図２】同全体斜視図。
【図３】同ボディ部を切断した斜視図。
【図４】同端面図。
【符号の説明】
【００３３】
１      ボディ部
１１    接着剤（シリコンボンド）
２      充電部
Ｃ５，Ｃ６    整流用コンデンサ
３    メインコンデンサ部
Ｃ１，Ｃ２，Ｃ３    発光用コンデンサ
４      充電スイッチ部
Ｓ１，Ｓ２    スイッチ回路
５        放電部
５１      ストロボ放電部（放電管）
５２      トリガ回路
６        制御指示部
６１      電圧調整信号出力部
６２      スイッチ信号出力部
６３      トリガ駆動信号出力部
【図１】
0003132091.tif 000003
【図２】
0003132091.tif 000004
【図３】
0003132091.tif 000005
【図４】
0003132091.tif 000006